(57)【要約】【課題】立体物を適切に梱包する。【解決手段】立体物である造形物５０を梱包する梱包方法であって、造形物５０を収容する収容容器１００と、収容容器１００内に充填される充填材１２０とを用い、造形物５０の周囲が充填材１２０に囲まれるように収容容器１００内に造形物５０と充填材１２０とを収容する収容段階と、収容容器１００内の少なくとも一部の充填材１２０が造形物５０に対して相対的に動かなくなるようにする段階であり、造形物５０の周囲の充填材１２０について、造形物５０と接した状態で造形物５０に対する相対位置を固定することで、少なくとも造形物５０と接している充填材１２０について、予め設定された大きさ以下の衝撃を収容容器１００が受けた場合にも造形物５０に対して相対的に動かなくなるようにする充填材位置固定段階とを備える。【選択図】図１
2019055819.tif 000002
【特許請求の範囲】
【請求項１】
立体的な物体である立体物を梱包する梱包方法であって、
前記立体物を収容する容器である収容容器と、前記収容容器内に充填される物質である充填材とを用い、前記立体物の周囲が前記充填材に囲まれるように前記収容容器内に前記立体物と前記充填材とを収容する収容段階と、
前記収容容器内の少なくとも一部の前記充填材が前記立体物に対して相対的に動かなくなるようにする段階であり、前記立体物の周囲の前記充填材について、前記立体物と接した状態で前記立体物に対する相対位置を固定することで、少なくとも前記立体物と接している前記充填材について、予め設定された大きさ以下の衝撃を前記収容容器が受けた場合にも前記立体物に対して相対的に動かなくなるようにする充填材位置固定段階と
を備えることを特徴とする梱包方法。
【請求項２】
前記充填材は、粉体又は粒体であり、
前記充填材位置固定段階において、前記収容容器内の前記充填材を細密充填とすることにより、少なくとも前記立体物と接している前記充填材について、前記衝撃を前記収容容器が受けた場合にも前記立体物に対して相対的に動かなくなるようにすることを特徴とする請求項１に記載の梱包方法。
【請求項３】
前記収容段階において、前記充填材の合間の少なくとも一部に液体を更に充填することを特徴とする請求項２に記載の梱包方法。
【請求項４】
前記充填材は、寸法が２ｍｍ以下の粉体又は粒体であることを特徴とする請求項２又は３に記載の梱包方法。
【請求項５】
前記収容容器は、一定形状の容器であることを特徴とする請求項１から４のいずれかに記載の梱包方法。
【請求項６】
前記充填材として、シリカゲルの粒子を用いることを特徴とする請求項１から５のいずれかに記載の梱包方法。
【請求項７】
前記充填材として、片栗粉を用いることを特徴とする請求項１から５のいずれかに記載の梱包方法。
【請求項８】
前記充填材として、中空樹脂を用いることを特徴とする請求項１から５のいずれかに記載の梱包方法。
【請求項９】
前記充填材として、パーライト又はバーミキュライトを用いることを特徴とする請求項１から５のいずれかに記載の梱包方法。
【請求項１０】
前記収容段階において、液体の状態の前記充填材を前記収容容器内に充填し、
前記充填材位置固定段階において、前記充填材を固体の状態に相変化させることを特徴とする請求項１に記載の梱包方法。
【請求項１１】
前記充填材として、油脂を用い、
前記収容段階において、前記油脂の温度を前記油脂が液体になる温度にして、前記油脂を前記収容容器内に充填し、
前記充填材位置固定段階において、前記油脂の温度を前記油脂が固体になる温度に低下させることにより、前記油脂を固体の状態に相変化させることを特徴とする請求項１０に記載の梱包方法。
【請求項１２】
前記立体物は、造形装置で造形を行った造形物であることを特徴とする請求項１から１１のいずれかに記載の梱包方法。
【請求項１３】
前記収容容器の外側を覆う部材である外装部材と、緩衝材とを用い、前記収容容器の周囲の少なくとも一部が前記緩衝材と接するようにして、前記外装部材により前記収容容器と前記緩衝材とを覆う外装段階を更に備えることを特徴とする請求項１から１２のいずれかに記載の梱包方法。
【請求項１４】
立体的な物体である立体物を梱包する梱包方法であって、
前記立体物を収容する容器である収容容器と、前記収容容器内に充填される粉体又は粒体である充填材とを用い、前記立体物の周囲が前記充填材に囲まれるように前記収容容器内に前記立体物と前記充填材とを収容する収容段階と、
前記立体物の周囲の前記充填材について、前記立体物と接した状態で前記立体物に対する相対位置を固定する充填材位置固定段階とを備えることを特徴とする梱包方法。
【発明の詳細な説明】
【技術分野】
【０００１】
本発明は、梱包方法に関する。
【背景技術】
【０００２】
近年、様々な立体的形状の造形物を造形する造形装置（３Ｄプリンタ）が普及しつつある。このような造形装置においては、例えば、積層造形法等の様々な方法で造形物を造形する（例えば、特許文献１参照。）。
【先行技術文献】
【特許文献】
【０００３】
【特許文献１】特開２０１５−７１２８２号公報
【発明の概要】
【発明が解決しようとする課題】
【０００４】
造形装置で造形物を造形した場合、造形の完了後に、他の場所へ輸送（運送）することが必要になる場合がある。そして、この場合、造形物の形状によっては、例えば輸送時の衝撃の影響を抑えるために、梱包箱等を用いて造形物を梱包することが必要になる。また、この場合、輸送中に梱包箱に衝撃が加えられて造形物が揺れ動いた場合にも造形物が破損することを防ぐために、衝撃を緩衝する緩衝材（クッション材）が用いられる場合がある。また、このような緩衝材としては、例えば、ポリエチレン製気泡緩衝材、ポリウレタン発泡緩衝材、スポンジ等が使用される。そして、このような方法は、実際、ある程度有効である。
【０００５】
しかし、様々な形状の造形物を輸送する実験等を本願の発明者らが実際に行ったところ、例えば微細な構造の部分を有する造形物（例えば、薄い造形物や細い造形物等）のように、破損しやすい造形物を輸送する場合には、上記のような緩衝材を用いて梱包を行ったとしても、造形物の破損を十分に防げない場合があることを見出した。また、本願の発明者は、このような破損が生じる原因について、例えば、上記のような緩衝材を用いる場合に、輸送時の衝撃等で緩衝材や造形物がわずかに動き、緩衝材が部分的に強く造形物に押しつけられるためであることを見出した。また、このような緩衝材や造形物のわずかな動きは、強い衝撃を受けた場合に限らず、緩衝材と造形物の間の配置の不均一さに依る静的な圧力の部分的なバラツキや、輸送の前後や長期保管でのわずかな動作等に起因して生じる場合もある。そのため、この場合、例えば輸送の前後や長期保管で造形物の微細な構造部分が破損すること等も考えられる。また、その結果、輸送中に限らず、造形物が破損の危険にさらされることになる。
【０００６】
これに対し、例えば緩衝材としてポリウレタン発泡緩衝材を用いる場合には、膨らんで造形物を梱包箱内で固定する構成であるため、梱包箱内での緩衝材や造形物の動きは生じ難い。しかし、この場合、ポリウレタン発泡緩衝材が膨らむタイミングや、輸送後に緩衝材を取り除くタイミングにおいて、造形物に部分的に強い力が加わることになる。その結果、微細な構造の部分を有する造形物等に対しては、破損の原因となりやすいと考えられる。また、この場合、例えば造形物が樹脂等で形成されていると、発泡時の発熱の影響で造形物が変形するおそれもある。
【０００７】
また、例えば石膏を材料にして製作した造形物等の場合には、その脆さから、上記のような緩衝材を用いても破損が特に生じやすくなる。また、造形装置で造形する造形物は、通常、量産品ではない。そのため、輸送用のブリスターケースのような部材を製作することも、通常、費用面で困難である。また、造形装置においては、造形中の造形物の周囲を支えるサポート層を形成しつつ造形物を造形する場合もある。そして、この場合、サポート層を残したままで造形物を輸送すれば、造形物の破損を生じ難くできるとも考えられる。しかし、この場合、輸送された造形物を受け取る側（例えば、顧客側）でサポート層の除去を行うことが必要になり、造形物を受け取る側に大きな負担をかけることになる。
【０００８】
また、上記のような問題は、造形装置で造形した造形物の輸送時に限らず、様々な立体物（オブジェクト）を梱包する場合にも同様に生じる。そのため、従来、より適切な方法で立体物を梱包することが望まれていた。そこで、本発明は、上記の課題を解決できる梱包方法を提供することを目的とする。
【課題を解決するための手段】
【０００９】
本願の発明者は、造形物等の立体部が梱包された状態で破損する原因について、更に鋭意研究を行った。具体的には、例えば、立体物を輸送する実験等を繰り返して行い、輸送中や梱包中に破損した状況の確認等を行った。そして、その確認結果等に基づき、梱包箱内で周囲の緩衝材に対して造形物が動くことが破損の原因になりやすいことを見出した。また、このような知見に基づき、梱包箱内で造形物やその周囲の物が相対的に動かなければ破損が生じ難いと考えた。そして、このような条件を満たすために、例えば、粉体又は粒体（粉状又は粒子状）の充填材で満たした梱包箱内に造形物を完全に埋没させ、例えば一方向から圧力をかけることで、造形物に対する充填材の相対位置を固定することを考えた。この場合、梱包箱からの反発を利用することで、作用反作用の法則により、造形物が全方位から圧迫を受けることになる。また、この圧迫により、造形物やその周囲の充填材は、梱包箱内で相対的に動かなくなる。
【００１０】
また、梱包された造形物の破損は、造形物における破損しやすい部分が一方向から圧迫を受ける場合に特に生じやすくなると考えられる。これに対し、このように造形物を梱包した場合、造形物が全方位から同じ力で圧迫を受けることにより、造形物の破損をより適切に防ぐことができる。更に、本願の発明者は、このような条件で梱包した造形物を運搬する実験を繰り返し、破損を防ぐ効果が適切に得られることを確認した。また、更なる鋭意研究により、このような効果を得るために必要な特徴を見出し、本発明に至った。
【００１１】
上記の課題を解決するために、本発明は、立体的な物体である立体物を梱包する梱包方法であって、前記立体物を収容する容器である収容容器と、前記収容容器内に充填される物質である充填材とを用い、前記立体物の周囲が前記充填材に囲まれるように前記収容容器内に前記立体物と前記充填材とを収容する収容段階と、前記収容容器内の少なくとも一部の前記充填材が前記立体物に対して相対的に動かなくなるようにする段階であり、前記立体物の周囲の前記充填材について、前記立体物と接した状態で前記立体物に対する相対位置を固定することで、少なくとも前記立体物と接している前記充填材について、予め設定された大きさ以下の衝撃を前記収容容器が受けた場合にも前記立体物に対して相対的に動かなくなるようにする充填材位置固定段階とを備える。
【００１２】
このように構成した場合、例えば、収容容器内で充填材が立体物に対して動かなくすることにより、例えば、立体物や充填材が収容容器内で動くことを適切に防ぐことができる。また、これにより、例えば、運搬時等に収容容器が衝撃を受けた場合にも、立体物の破損を適切に防ぐことができる。そのため、このように構成すれば、例えば、立体物を適切に梱包することができる。
【００１３】
ここで、収容容器が受ける衝撃について、予め設定された大きさ以下の衝撃とは、例えば、求められる耐衝撃性に応じて設定される上限以下の衝撃のことである。また、この方法において、立体物の周囲が充填材に囲まれるとは、例えば充填材の中に立体物が埋没することで、立体物の周囲の全体が充填材に囲まれることである。充填材としては、例えば、立体物と接触しても立体物に強固に付着せず、立体物からの除去が容易なものを用いることが好ましい。また、立体物の形状等によっては、例えば衝撃等により壊れやすい部分（立体物の一部）のみを保護すればよい場合もある。そして、このような場合、立体物の一部のみが充填材に埋没するように梱包を行うことも考えられる。この場合、立体物の周囲が充填材に囲まれることについて、立体物の一部の周囲が充填材に囲まれる状態等と考えることもできる。
【００１４】
また、充填材としては、例えば粉体又は粒体等を用いることが考えられる。この場合、乾燥した粉体や粒体を用いることが好ましい。また、より具体的に、充填材としては、シリカゲルや片栗粉を用いることが考えられる。また、充填材として、砂等を用いることも考えられる。また、充填材としては、これらに限らず、シリカゲル以外の乾燥剤や、様々な有機材料や無機材料等を用いることが考えられる。例えば、充填材として、パーライト又はバーミキュライトを用いること等も考えられる。また、充填材としては、１種類の充填材に限らず、複数種類の充填材を併用して用いてもよい。また、充填材としては、例えば、中空樹脂を用いること等も考えられる。また、充填材として粉体又は粒体を用いる構成については、例えば、複数（多数）の材料からなる充填材を用いる構成等と考えることもできる。このような構成により、例えば、立体物と接している充填材について、衝撃を収容容器が受けた場合にも立体物に対して動かなくすることができる。また、これらの特徴に着目した場合、充填材位置固定段階の動作については、例えば、流動性を示す充填材について、立体物と接した状態で立体物に対する相対位置を固定する動作等を考えることもできる。また、この場合、粉体や粒体としては、流動性を示す性質の粉体や粒体を用いることが好ましい。粉体や粒体が流動性を示すとは、例えば、多数の粉体や粒体が集合体として流動性を示すことである。また、この場合、粉体や粒体が流動性を示すことにより、例えば、充填時に立体物の周囲に隙間無く充填材が充填されることになる。また、その結果、外部からの衝撃による立体物の部分的な動きが抑制され、立体物の破損を適切に防ぐことができる。尚、充填材の一部については、例えば樹脂、金属、木片等の固形物で置き換えてもよい。この場合、固形物については、立体物に接触しない範囲で十分に離れた位置に充填することが好ましい。
【００１５】
また、この場合、収容容器としては、例えば、一定形状の容器を好適に用いることができる。一定形状の容器とは、例えばビニール袋等のように変形自在な容器ではなく、中身が空の状態でも一定の形状を保つ容器（固い容器）のことである。また、少なくとも充填材位置固定段階の動作を行った後において、収容容器内の充填材については、細密充填の状態にすることが好ましい。このように構成すれば、例えば、少なくとも立体物と接している充填材について、衝撃を収容容器が受けた場合にも立体物に対して相対的に動かない状態を適切に実現できる。また、充填材としては、非弾性体を用いることが好ましい。このように構成すれば、例えば、充填材に潰れ等を生じさせることなく、立体物との間に空間を形成せずに、細密充填での充填を適切に行うことができる。また、この場合、梱包用の公知の緩衝材等を利用して充填材に対して圧力を加えることが考えられる。より具体的に、この場合、例えば、収容容器内において外側から充填材に接するように緩衝材等を更に収容容器内に収容して、緩衝材等を圧縮する力を加えることで、緩衝材等を介して充填材に圧力を加えることができる。また、この場合、緩衝材等としては、例えば、ポリエチレン製緩衝材、ポリウレタン発泡緩衝材、スポンジ、エアークッション、綿等を好適に用いることができる。また、この場合、例えば、一方向から充填材を圧迫するように緩衝材等を設置することが好ましい。このように構成すれば、例えば、収容容器内の充填材に適切に圧力を加えることができる。
【００１６】
また、立体物の破損等をより適切に防ぐためには、充填材の寸法（サイズ）について、立体物における壊れやすい部分の寸法に対して十分に小さくすることが好ましい。より具体的に、この場合、例えば立体物における壊れやすい部分の寸法が２ｍｍ程度である場合には、充填材として、寸法が２ｍｍ以下の粉体又は粒体等を用いることが好ましい。この場合、粉体又は粒体等の充填材の寸法とは、例えば、平均寸法のような、統計的に求められる実質的な寸法のことである。また、このような方法で梱包を行う場合、輸送用のブリスターケース等を用いることなく立体物を適切に梱包できるため、様々な形状の立体物を低コストで適切に梱包することが可能になる。そのため、梱包対象の立体物としては、例えば、造形装置（三次元造形装置）で造形を行った造形物等を好適に用いることができる。また、より具体的に、この場合、造形装置としては、例えば、インクジェットヘッドにより形成するインクの層を複数層重ねることでインクジェット積層方式での造形を行う造形装置や、紛体積層方式で造形を行う造形装置等を好適に用いることができる。
【００１７】
また、この梱包方法での具体的な梱包の仕方等については、上記に限らず、様々な変形を行うことも可能である。例えば、収容段階において、充填材の合間の少なくとも一部に液体を更に充填すること等も考えられる。このように構成すれば、例えば、充填材の隙間を液体で満たすことで、収容容器の中身の移動をより適切に防ぐことができる。また、立体物の破損をより確実に防ぐためには、例えば、収容容器の外側を覆う部材である外装部材と緩衝材とを用いて、多重の梱包を行うこと等も考えられる。この場合、例えば、収容容器の周囲の少なくとも一部が緩衝材と接するようにして、外装部材により収容容器と緩衝材とを覆う外装段階の動作を更に行うこと等が考えられる。
【００１８】
また、充填材としては、粉体や粒体以外の構成を用いることも考えられる。この場合、例えば、梱包の動作の中で液体の状態から固体の状態に相変化する物質等を用いることが考えられる。より具体的に、この場合、例えば、収容段階において、液体の状態の充填材を収容容器内に充填する。そして、充填材位置固定段階において、充填材を固体の状態に相変化させることが考えられる。このようにした場合も、立体物の輸送時において、立体物や充填材が収容容器内で動くことを適切に防ぐことができる。また、これにより、立体物の破損を適切に防ぐことができる。また、このような充填材としては、例えば油脂等を用いることが考えられる。この場合、収容段階において、例えば、油脂の温度を油脂が液体になる温度にして、油脂を収容容器内に充填する。そして、充填材位置固定段階において、例えば、油脂の温度を油脂が固体になる温度に低下させることにより、油脂を固体の状態に相変化させる。また、このような油脂としては、例えばラード、マーガリン等の食用の油脂や、各種の工業用の油脂等を用いることが考えられる。これらの材料としては、立体物に対して含浸、溶解、変色などの悪影響を及ぼさない材料を用いることが考えられる。
【発明の効果】
【００１９】
本発明によれば、例えば、立体物を適切に梱包することができる。
【図面の簡単な説明】
【００２０】
【図１】本発明の一実施形態に係る梱包方法の一例について説明をする図である。図１（ａ）は、本例における梱包の対象物や梱包に用いる部材の一例を示す。図１（ｂ）は、造形物５０、充填材１２０、及び緩衝材１４０を収容容器１００内に収容する動作について説明をする図である。図１（ｃ）は、造形物５０、充填材１２０、及び緩衝材１４０を収容容器１００内に収容して蓋１０６を閉めた状態について説明をする図である。
【図２】梱包方法の変形例について説明をする図である。図２（ａ）〜（ｃ）は、梱包方法の様々な変形例を示す。
【図３】梱包方法の更なる変形例について説明をする図である。図３（ａ）〜（ｃ）は、本変形例の特徴について、図１（ａ）〜（ｃ）と同様の事項を示す。
【図４】本願の発明者が行った実験について説明をする図である。図４（ａ）は、粉体の充填材１２０を用いて梱包を行う梱包形態で行った輸送試験について説明をする図である。図４（ｂ）は、比較実験について説明をする図である。
【図５】様々な充填材１２０を用いて行った実験の結果を示す図である。
【発明を実施するための形態】
【００２１】
以下、本発明に係る実施形態を、図面を参照しながら説明する。図１は、本発明の一実施形態に係る梱包方法の一例について説明をする図である。図１（ａ）は、本例における梱包の対象物や梱包に用いる部材の一例を示す。本例の梱包方法は、立体物の一例である造形物５０を輸送する場合や長期保管のために造形物５０を梱包する方法であり、収容容器１００、充填材１２０、及び緩衝材１４０を用いて、造形物５０を梱包する。この場合、梱包とは、例えば、輸送や長期保管のために対象物を包装することである。立体物とは、立体的な物体のことである。
【００２２】
また、図１（ａ）に示す構成のうち、造形物５０は、造形装置（三次元造形装置）で造形を行った立体物である。この場合、造形装置としては、例えば、インクジェットヘッドにより形成するインクの層を複数層重ねることでインクジェット積層方式での造形を行う造形装置や、紛体積層方式で造形を行う造形装置等を好適に用いることができる。また、以下において詳しく説明をするように、本例においては、造形物５０の破損を防ぐように、梱包を行う。そのため、造形物５０としては、例えば、壊れやすい部分を有する造形物を用いることが考えられる。より具体的に、造形物５０としては、例えば、厚さが１０ｍｍ以下（例えば、１〜１０ｍｍ程度）の薄い部分を有する造形物を用いてもよい。また、造形物５０における壊れやすい部分の厚さは、例えば５ｍｍ以下（例えば、１〜５ｍｍ程度）であってもよい。また、以下において説明をする梱包の対象物としては、造形物５０以外の立体物を用いることも考えられる。より具体的には、例えば、輸送中の破損が心配される模型などを輸送する場合において、模型を梱包の対象物にしてもよい。
【００２３】
また、図１（ａ）に示す構成のうち、収容容器１００、充填材１２０、及び緩衝材１４０は、造形物５０の梱包に用いる部材の一例である。また、これらのうち、収容容器１００は、梱包時に造形物５０を収容する容器（包装容器）である。また、本例において、収容容器１００は、一定形状の容器である。この場合、一定形状の容器とは、例えばビニール袋等のように変形自在な容器ではなく、中身が空の状態でも一定の形状を保つ容器（固い容器）のことである。また、収容容器１００について、一定形状であるとは、梱包において必要とされる精度に応じて、実質的に一定形状であることであってよい。この場合、以下において説明をするように充填材１２０を充填した状態で十分に一定形状を保つことが可能であれば、例えば充填材１２０の充填の前後で、ある程度の変形等が生じていてもよい。また、より具体的に、本例において、収容容器１００は、底面１０２、側面１０４、及び蓋１０６を有する箱状の容器である。この場合、底面１０２及び側面１０４は、造形物５０等を収容する収容容器１００の本体部分を構成する面である。また、蓋１０６は、収容容器１００の本体部分の上方を覆う部材である。収容容器１００としては、例えば、プラスチック、ガラス、金属、木材又はこれらの組み合わせの材質の容器等を好適に用いることができる。
【００２４】
充填材１２０は、造形物５０の梱包時に収容容器１００内に充填される物質であり、造形物５０と共に収容容器１００内に収容されることにより、収容容器１００内に余分な隙間ができないように、例えば、収容容器１００内に細密充填で充填される。この場合、充填材１２０が細密充填で充填されるとは、例えば、単位体積に含まれる充填材１２０の容積が充填材の形状等に応じて決まる最大の容積になるように充填されることである。この場合、単位体積に含まれる充填材１２０の容積とは、単位体積の中で充填材１２０が占めている部分の体積のことである。また、充填材１２０の容積について、充填材１２０の形状等に応じて決まる最大の容積とは、例えば、充填材１２０に潰れ等が生じない状態での最大の容積のことである。また、この場合、充填材１２０として、非弾性体を用いることが好ましい。このように構成すれば、例えば、充填材１２０に潰れ等を生じさせることなく、また、造形物５０との間に空間を形成することなく、細密充填での充填を適切に行うことができる。また、充填材１２０は細密充填で充填された状態については、例えば、造形物５０に対して相対的に充填材１２０が動く隙間を実質的に開けずに、造形物５０の周囲の充填材１２０が造形物５０に密着するように充填材１２０を充填した状態等と考えることもできる。また、図示は省略するが、充填材１２０の容積の一部については、樹脂、金属、木片等の固形物で置き換えてもよい。この場合、固形物については、造形物５０に接触しない範囲で十分に離れた位置に充填することが好ましい。更に、収容容器１００において充填材１２０が充填されている領域内（充填材１２０の容積内）には、複数個の造形物５０を収容してもよい。
【００２５】
また、本例においては、このような充填材１２０として、例えば、粉体又は粒体を用いる。また、粉体や粒体としては、流動性を示す性質の粉体や粒体を用いる。粉体や粒体が流動性を示すとは、例えば、多数の粉体や粒体が集合体として流動性を示すことである。また、充填材１２０としては、例えば、造形物５０と接触しても造形物５０に強固に付着せず、造形物５０からの除去が容易なものを用いることが好ましい。そして、このような観点で考えた場合、充填材１２０としては、乾燥した粉体や粒体を用いることが好ましい。また、より具体的に、本例において、充填材１２０としては、例えばシリカゲルの粒体（シリカゲルの粒子）を用いる。
【００２６】
この場合、例えば、造形物５０に対して充填材１２０が強固に付着しないため、輸送後に収容容器１００から造形物５０を取り出す取り出し時において、水洗い等を行わなくても、例えば柔らかい刷毛等で充填材１２０を取り除くことで、余分な充填材１２０が付着しない状態で造形物５０を適切に取り出すことができる。また、シリカゲルは、毒性を有しておらず、一般廃棄も可能である。そのため、充填材１２０としてシリカゲルを用いた場合、例えばこの点でも、必要な輸送等を行った後に充填材１２０の除去を容易かつ適切に行うことができる。また、この場合、充填材１２０が収容容器１００内の水分を吸収するため、例えば吸湿により膨潤、変質、腐敗、又は変色等が生じる造形物５０を梱包する場合にも、このような問題の発生を適切に防ぐことができる。また、シリカゲルは、比較的安価で入手可能であり、かつ、加熱乾燥を行うことで繰り返し使用可能である。そのため、この場合、充填材１２０のコストを適切に低減することもできる。
【００２７】
ここで、本例のように粒体の充填材１２０を用いる場合において、梱包時や梱包後に造形物５０が破損することを防ぐためには、充填材１２０の寸法（粒体のサイズ、粒子の直径）について、造形物５０における壊れやすい部分の寸法に対して十分に小さくすることが好ましい。この場合、造形物５０における壊れやすい部分の寸法に対して充填材１２０のサイズを十分に小さくするとは、例えば、造形物５０における最も薄い部分の厚さや、最も細い部分の幅よりも充填材１２０のサイズを小さくすることである。また、より具体的に、充填材１２０の寸法については、例えば２ｍｍ以下にすることが好ましい。この場合、充填材１２０の寸法とは、例えば、充填材１２０として用いる各粒体において直線距離が最も長い部分の長さのことである。また、充填材１２０の寸法は、例えば、平均寸法のような、統計的に求められる実質的な寸法のことであってよい。また、充填材１２０の寸法については、例えば、設計上の標準の寸法等と考えることもできる。また、実用上、寸法が２ｍｍ以下の充填材１２０を用いるとは、収容容器内に充填される多数の充填材１２０のうち、重量比で９０％以上（好ましくは９５％以上、更に好ましくは９９％以上）の充填材１２０の寸法が２ｍｍ以下であればよい。また、充填材１２０の寸法は、更に好ましくは、１ｍｍ以下である。また、本例において、収容容器１００への充填を行うまでの間、充填材１２０は、例えば袋等の密封容器内に保管されている。そして、造形物５０の梱包時には、必要な量が、収容容器１００内へ充填される。
【００２８】
尚、充填材１２０の好ましい寸法の上限については、梱包の対象物である造形物５０の材料強度や微細さによって変化すると考えられる。また、この場合、造形物５０の破損を防ぐという観点で考えた場合の理論上は、充填材１２０の寸法については、小さい程好ましいと考えられる。また、充填材１２０の特徴については、図１（ｂ）、（ｃ）等を用いて、以下において更に詳しく説明をする。
【００２９】
緩衝材１４０は、造形物５０及び充填材１２０と共に収容容器１００内に収容される緩衝性の部材である。また、本例において、緩衝材１４０は、収容容器１００内において外側から充填材１２０に接するように設置されて、充填材１２０に圧力を加えるために用いられる。緩衝材１４０としては、梱包用に用いられている公知の緩衝材を好適に用いることができる。より具体的に、緩衝材１４０としては、例えば、ポリエチレン製緩衝材、ポリウレタン発泡緩衝材、スポンジ、エアークッション、綿、ゴム板等を好適に用いることができる。緩衝材１４０により充填材１２０に圧力を加える動作についても、図１（ｂ）、（ｃ）等を用いて、以下において更に詳しく説明をする。
【００３０】
図１（ｂ）は、造形物５０、充填材１２０、及び緩衝材１４０を収容容器１００内に収容する動作について説明をする図である。この場合、造形物５０等を収容容器１００内に収容する動作は、収容段階の動作の一例である。また、本例においては、例えば図中に示すように、造形物５０の周囲が充填材１２０に囲まれるように収容容器１００内に造形物５０及び充填材１２０を収容する。この場合、造形物５０の周囲が充填材１２０に囲まれるとは、例えば、充填材１２０の中に造形物５０が埋没することで、造形物５０の周囲の全体が充填材１２０に囲まれることである。また、図１（ｂ）においては、図示の便宜上、造形物５０が収容されている収容容器１００の断面を示すことで、造形物５０が見えるように収容容器１００の中の状態を図示している。しかし、実際の梱包時には、例えば透光性の収容容器１００を用いた場合にも収容容器１００の外側から造形物５０が見えないように、充填材１２０により収容容器１００の周囲を囲む。
【００３１】
また、上記においても説明をしたように、本例において、充填材１２０としては、シリカゲルの粒体を用いる。この場合、例えば、充填材１２０を収容容器１００内へ流し込むことで収容容器１００の底面からある程度の高さにまで充填材１２０を充填した後に、その上に造形物５０を設置する。そして、その上から更に充填材１２０を追加することが考えられる。また、この場合、造形物５０を設置した後においては、充填材１２０を流し込む勢いで造形物５０の破損等が生じないように、十分に静かに充填材１２０を追加することが好ましい。
【００３２】
また、本例においては、収容容器１００内に造形物５０及び充填材１２０を収容した後に、充填材１２０の上に、緩衝材１４０を設置する。また、この場合において、例えば図中に示すように、収容容器１００の本体部分には完全に収まらず、後に蓋１０６によりふさがれる開口部から緩衝材１４０の少なくとも一部がはみ出すように、緩衝材１４０を設置する。このように構成した場合、例えば、収容容器１００の蓋１０６を閉めることで、充填材１２０と蓋１０６との間に挟まれた緩衝材１４０は、蓋１０６に押さえつけられて、一方向から充填材１２０を圧迫することになる。また、その結果、収容容器１００内の充填材１２０に対し、圧力が加えられることになる。
【００３３】
尚、このときに加える圧力については、例えば、輸送時等に想定される衝撃力の範囲内では造形物５０が動かない強度とすることが考えられる。このように構成すれば、例えば、輸送時等に収容容器１００が衝撃を受けた場合にも造形物５０や充填材１２０が動かないように、これらの位置を適切に固定できる。また、このような圧力を加えるためには、緩衝材１４０について、固体に近くなる圧縮度とすることが考えられる。また、例えば収容容器１００に充填材１２０を多めに入れて蓋１０６を閉め、収容容器１００や蓋１０６の弾性（膨らみ）を利用して充填材１２０全体を固定する場合には、緩衝材１４０を用いなくても、十分な圧力を充填材に加えることができる。そのため、このような場合には、緩衝材１４０を省略してもよい。また、本例においてこのような圧力を加える理由は、上記のように、造形物５０や充填材１２０の位置を適切に固定するためである。そのため、例えば圧力を加えなくても位置が適切に固定される充填材１２０を用いる場合には、圧力を加えなくてもよい。
【００３４】
図１（ｃ）は、造形物５０、充填材１２０、及び緩衝材１４０を収容容器１００内に収容して蓋１０６を閉めた状態について説明をする図である。上記のように、本例においては、収容容器１００の蓋１０６を閉めて充填材１２０と蓋１０６との間に緩衝材１４０を挟むことにより、充填材１２０に圧力を加える。そして、この場合、粒状の充填材１２０を緩衝材１４０により押さえつける作用に対して反作用の力が働き、充填材１２０に囲まれている造形物５０に対し、全方向（全方位）から押さえる力が発生することになる。また、その結果、収容容器１００内で充填材１２０及び造形物５０の位置が固定され、動かなくなる。
【００３５】
また、この場合、収容容器１００内で充填材１２０及び造形物５０の位置を固定する動作は、充填材位置固定段階の動作の一例である。充填材位置固定段階の動作とは、例えば、収容容器１００内の少なくとも一部の充填材１２０が造形物５０に対して動かなくなるようにする動作のことである。また、この場合、充填材１２０が造形物５０に対して動かなくするとは、例えば、少なくとも造形物５０と接している充填材１２０について、予め設定された大きさ以下の衝撃を収容容器１００が受けた場合にも造形物５０に対して動かなくなるようにすることである。また、収容容器１００が受ける衝撃について、予め設定された大きさ以下の衝撃とは、例えば、求められる耐衝撃性に応じて設定される上限以下の衝撃のことである。また、この上限の衝撃は、例えば、運搬時の状況等に応じて想定される衝撃のことである。運搬時の状況等に応じて想定される衝撃とは、例えば、運搬時に受ける標準的な衝撃や慣性力に対応する衝撃のことである。また、予め設定された大きさ以下の衝撃を収容容器１００が受けた場合にも造形物５０に対して充填材１２０が動かなくなる状態とは、それを超える大きな衝撃（例えば、想定外の衝撃）を受けた場合には収容容器１００内で充填材１２０や造形物５０が動く状態であってもよい。また、予め設定された大きさ以下の衝撃を収容容器１００が受けた場合にも造形物５０に対して充填材１２０が動かないことについては、例えば、少なくとも収容容器１００をある程度傾けた程度では充填材１２０が動かない状態等と考えることができる。この場合、収容容器１００を傾けるとは、例えば、充填材１２０を充填したタイミングと比べて、収容容器１００を傾けることである。また、収容容器１００をある程度傾けた程度とは、例えば、収容容器１００の底面を水平面に対して４５度程度傾けた状態のことである。
【００３６】
また、上記においても説明をしたように、本例においては、充填材１２０として、粒状のシリカゲルを用いる。また、シリカゲルとしては、流動性を示す性質の小さな粒状の構成（シリカゲルの粒子）を用いる。そして、この場合、収容容器１００内に充填された充填材１２０について、収容容器１００内で均等に圧力が伝搬する状態になっていると考えることができる。収容容器１００内で均等に圧力が伝搬するとは、例えば、小数の限定された経路に沿って圧力が伝搬するのではなく、流動性の特性により、液体内での圧力の伝搬と同一又は同様にして、収容容器１００内の全方向へ均等に圧力が伝搬することである。そして、この場合、蓋１０６により緩衝材１４０を充填材１２０へ押しつけて充填材１２０に圧力を加えると、収容容器１００において充填材１２０が充填されている領域内で均等に圧力が伝搬し、造形物５０を全方向から均一に押圧することになる。また、これにより、例えば、充填材１２０や造形物５０が収容容器１００内で容易には動かない状態を適切に実現できる。また、このような状態については、例えば、充填材１２０が造形物５０に対して動かなくなる状態等と考えることもできる。また、この場合、充填材１２０に圧力を加える動作について、例えば、造形物５０の周囲の充填材１２０に関し、造形物５０に直接接した状態で造形物５０に対する相対位置を固定する動作等と考えることもできる。また、このような状態については、例えば、充填材１２０により造形物５０を全方向から均一に押圧して造形物５０の周辺空間を埋めることで、造形物５０や充填材１２０が収容容器１００内で動くことを防ぐ状態等と考えることもできる。
【００３７】
上記においても説明をしたように、本例において、梱包の外郭を構成する収容容器１００としては、容易には変形しない一定形状の容器を用いる。そして、この場合、収容容器１００の運搬時等において、収容容器１００の中身である造形物５０や充填材１２０の部分的な移動（クリープ）をより適切に防ぎ、造形物５０やその周囲の状態を一定の状態により適切に保つことができる。そのため、本例によれば、例えば運搬時等に収容容器１００が衝撃を受けた場合や、運搬に伴う慣性力を受けた場合にも、造形物５０が破損することを適切に防ぐことができる。また、この場合、流動性を示す充填材１２０を造形物５０に密着させて充填材１２０と造形物５０が相対的に動かない状態を実現する構成であるため、造形物５０の形状によらず、同じ手順で造形物５０を適切に梱包することができる。この場合、充填材１２０と造形物５０が相対的に動かない状態とは、充填材１２０及び造形物５０の一方が他方に対して相対的に動かない状態のことである。そして、この場合、輸送用のブリスターケース等を用いることなく造形物５０を適切に梱包できるため、様々な形状の造形物５０を低コストで適切に梱包することも可能になる。そのため、本例によれば、例えば、造形装置により造形した様々な形状の造形物５０に対し、破損が生じ難い状態で適切に梱包を行うことができる。
【００３８】
また、本願の発明者は、実際に、紫外線硬化型インクを用いてインクジェット法で造形を行う造形装置で造形した造形物５０について、ポリプロピレンの収容容器１００と、シリカゲルの充填材１２０とを用いて、図１（ｃ）に示す状態での梱包を行い、５００ｋｍの車輸送、及び６０℃環境で１０日間の保存を行う実験を行った。そして、このような実験において、破損や変形、変色等を含めて、造形物５０に異常が生じないことを確認した。
【００３９】
ここで、上記においては、梱包に使用する充填材１２０について、主に、シリカゲルを用いる場合について、説明をした。しかし、充填材１２０としては、シリカゲル以外の様々な物質を用いることも考えられる。例えば、充填材１２０として、シリカゲル以外の乾燥剤の粉体又は粒体を用いることも考えられる。この場合、例えば、酸化カルシウムや塩化カルシウム等の化学系乾燥剤や、酸化アルミニウム、ゼオライト、モレキュラーシーブ等の物理系乾燥剤の粉体又は粒体を用いることが考えられる。この場合も、例えば比較的安価な充填材１２０を用いることで、充填材１２０のコストを適切に低減できる。また、梱包時に求められる条件等に応じて、乾燥剤以外にも、様々な有機材料や無機材料で構成される充填材１２０を用いることができる。より具体的に、このような充填材１２０としては、例えば、片栗粉等を好適に用いることができる。また、例えば小麦粉や食塩等を用いることも考えられる。このような食品の粉体又は粒体を充填材１２０として用いることにより、例えば、安全性の高い充填材１２０を適切に用いることができる。また、これら以外にも、例えば、砂等の無機材料を充填材１２０として用いることも考えられる。この場合、例えば、市販の川砂等のような、安価で入手しやすい砂を用いることが考えられる。また、珪砂、砂鉄、生石灰、硫酸マグネシウム、焼き明礬、水酸化ナトリウム、炭酸カリウム、水酸化カリウム、硫酸ナトリウム無水塩、硫酸銅無水塩、過塩素酸マグネシウム等の粉体や粒体を充填材１２０として用いることも考えられる。また、充填材１２０として、例えば、園芸用品として市販されている粉体等を用いることも考えられる。この場合も、安価で入手が容易な充填材１２０を用いることが可能になる。また、より具体的に、このような充填材１２０としては、例えば、園芸用品等として市販されている発泡粉体（人工発泡体）であるパーライトや、園芸用品等として市販されている粉体であるバーミキュライト等を用いることが考えられる。
【００４０】
また、充填材１２０としては、例えば、樹脂を用いること等も考えられる。この場合、例えば、充填材１２０を適切に軽量化することができる。また、これにより、例えば、充填材１２０を充填することによる重量の増大を適切に抑えることができる。また、より具体的に、この場合、例えば、発泡樹脂を充填材１２０として用いることが考えられる。また、このような充填材１２０としては、例えば、ポリウレタン、ポリスチレン、ポリエチレン、ポリプロピレン、又はＰＥＴ等の樹脂発泡体の粒を用いることが考えられる。この場合、非帯電処理済みの樹脂発泡体の粒を用いることが好ましい。また、樹脂の充填材１２０としては、例えば、中空樹脂を用いることも考えられる。この場合、中空樹脂とは、例えば、中空のパイプ形状の樹脂のことである。中空樹脂としては、例えば、ポリエチレン、ポリプロピレン、又はＰＥＴ等で形成された中空樹脂を好適に用いることができる。また、この場合、例えば直径が４ｍｍ程度以下（例えば、１〜４ｍｍ程度、好ましくは２〜３ｍｍ程度）で、長さが６ｍｍ以下（例えば、２〜６ｍｍ程度、好ましくは、３〜５ｍｍ程度）の中空パイプ形状の粒子を用いることが考えられる。また、この場合、パイプを構成する樹脂の厚みについては、例えば、０．１ｍｍ程度（例えば、０．０５〜２ｍｍ程度）にすることが好ましい。また、充填材１２０としては、１種類の充填材１２０に限らず、複数種類の充填材１２０を併用して用いてもよい。
【００４１】
続いて、造形物５０の梱包方法の変形例等について、説明をする。上記においては、主に、収容容器１００内での造形物５０の周囲等を粉体又は粒体の充填材１２０のみで充填する場合について、説明をした。しかし、梱包方法の変形例においては、粉体又は粒体の充填材１２０以外の物質を更に用いて、造形物５０の周囲等を充填してもよい。この場合、収容容器１００内に造形物５０や充填材１２０を収容する収容段階の動作において、充填材１２０の合間の少なくとも一部に液体を更に充填することが考えられる。このような液体の充填は、例えば粒体の充填材１２０を用いる場合に行うことが特に好ましい。このように構成すれば、例えば、粒体等の充填材１２０を充填するのみでは個々の充填材１２０の合間にわずかな隙間が生じる場合にも、液体により隙間を適切に埋めることができる。また、これにより、収容容器１００の中身の移動をより適切に防ぐことができる。
【００４２】
ここで、充填材１２０に加えて液体を充填する場合、液体の量が多くなりすぎると、収容容器１００の中身の移動がかえって生じやすくなるおそれもある。そのため、液体の量については、充填材１２０のみで細密充填の状態になる範囲の量にすることが好ましい。充填材１２０のみで細密充填の状態になるとは、例えば、液体を充填しない場合にも収容容器１００内で充填材１２０が細密充填になる状態のことである。また、液体の充填の仕方については、例えば、造形物５０の周囲の充填材１２０の合間に液体が到達するように液体を充填することが好ましい。また、このようにして充填材１２０と併用して用いる液体としては、比重が２以上の液体や、粘度が０．０４Ｐａ・ｓ以上の液体を好適に用いることができる。また、このような液体としては、例えばグリセリン、シリコンオイル、テトラブロモエタン等を用いることが考えられる。
【００４３】
また、充填材１２０及び液体を収容容器１００内に充填する場合において、それぞれを充填するタイミングについては、例えば、先に充填材１２０を充填した後に液体を充填することが考えられる。このように構成すれば、例えば、細密充填になった充填材１２０の隙間により適切に液体を充填することができる。また、梱包対象の造形物５０の形状等や、梱包に求められる条件によっては、例えば、充填材１２０と液体とを同時に充填すること等も考えられる。このように構成すれば、例えば、収容容器１００内に充填材１２０及び液体をより均一に充填できる。また、例えば、先に所定量の液体を充填した後に充填材１２０を充填することも考えられる。
【００４４】
また、収容容器１００内に充填材１２０を充填する充填の仕方や、収容容器１００の蓋を閉じた後に行う動作等についても、様々な変更が可能である。図２は、梱包方法の変形例について説明をする図である。図２（ａ）〜（ｃ）は、梱包方法の様々な変形例を示す。尚、以下に説明をする点を除き、図２において、図１と同じ符号を付した構成は、図１における構成と、同一又は同様の特徴を有してよい。
【００４５】
上記においては、梱包時に使用する緩衝材１４０について、主に、例えば図１（ｂ）、（ｃ）に示すように、収容容器１００の蓋１０６と接する位置に設置する用い方を説明した。しかし、緩衝材１４０については、収容容器１００内において、蓋１０６と接する位置以外にも設置してもよい。より具体的に、この場合、例えば図２（ａ）に示すように、収容容器１００の底面や側面と接する位置にも緩衝材１４０を設置することが考えられる。このように構成すれば、例えば、収容容器１００において充填材１２０を充填すべき容積が小さくなるため、充填材１２０の使用量を低減することができる。また、この場合も、収容容器１００の蓋１０６と接する部分においては、例えば図中の左側に示すように、後に蓋１０６によりふさがれる開口部から緩衝材１４０の少なくとも一部がはみ出すように、緩衝材１４０を設置する。また、この場合も、例えば図中の右側に示すように蓋１０６を閉じることで、収容容器１００内の充填材１２０に適切に圧力を加えることができる。また、これにより、例えば、充填材１２０や造形物５０が収容容器１００内で容易には動かない状態を適切に実現できる。
【００４６】
また、このように収容容器１００の底面や側面と接する位置にも緩衝材１４０を設置する場合、緩衝材１４０と充填材１２０とが直接には接しないようにすることも考えられる。より具体的に、この場合、例えば図２（ｂ）に示すように、造形物５０及び充填材１２０を収容する袋２００を用いることが考えられる。袋２００としては、例えばポリエチレン製の袋等を好適に用いることができる。また、この場合、例えば、収容容器１００の底面や側面と接する位置に緩衝材１４０が設置された状態で、収容容器１００の開口部から袋２００を収容容器１００内に設置する。また、この場合、充填材１２０の中に造形物５０が完全に埋没するように充填材１２０及び造形物５０を袋２００の中に入れ、テープ等で袋２００の開口部を閉じることが考えられる。このように構成すれば、例えば、細かい粉体又は粒体の充填材１２０が緩衝材１４０の中に入り込むこと等を適切に防ぐことができる。また、この場合、袋２００の中へ造形物５０や充填材１２０を入れる動作については、袋２００を収容容器１００内に入れた後に行うことが好ましい。このように構成すれば、例えば、袋２００に造形物５０及び充填材１２０を入れた後の状態をより安定した状態で維持することができる。
【００４７】
また、運搬時の衝撃等から造形物５０をより確実に保護するためには、収容容器１００の中に充填材１２０や緩衝材１４０等を入れるのみではなく、例えば図２（ｃ）に示すように、収容容器１００の周囲に更に緩衝材３２０を設置することが好ましい。また、より具体的に、この場合、図中に示すように、例えば、収容容器１００の外側を覆う外箱である外装部材３００及び緩衝材３２０を更に用いて、多重の梱包を行う。外装部材３００としては、例えば、収容容器１００を内部に収容可能な大きさのダンボール箱等を好適に用いることができる。また、この場合、緩衝材３２０は、例えば公知の梱包方法において用いられる梱包材等と同一又は同様にして、収容容器１００と外装部材３００との間に充填される。緩衝材３２０としては、例えば発泡材やクッション材等のような公知の梱包用の緩衝材等を好適に用いることができる。また、この場合、外装部材３００の中に収容容器１００及び緩衝材３２０を設置する動作は、外装段階の動作の一例である。また、外装段階の動作とは、例えば、収容容器１００の周囲の少なくとも一部が緩衝材３２０と接するようにして、外装部材３００により収容容器１００と緩衝材３２０とを覆う動作のことである。このように構成すれば、例えば、輸送中の衝撃等による造形物５０の破損等をより適切に防ぐことができる。
【００４８】
また、上記においては、主に、粉体又は粒体の充填材１２０を用いる場合について、梱包方法の例の説明をした。しかし、充填材としては、粉体や粒体以外の構成を用いることも考えられる。また、より具体的に、この場合、例えば、梱包の動作の中で液体の状態から固体の状態に相変化する物質等を充填材として用いることが考えられる。
【００４９】
図３は、梱包方法の更なる変形例について説明をする図である。図３（ａ）〜（ｃ）は、本変形例の特徴について、図１（ａ）〜（ｃ）と同様の事項を示す。尚、以下に説明をする点を除き、図３において、図１又は図２と同じ符号を付した構成は、図１又は図２における構成と、同一又は同様の特徴を有してよい。また、本変形例において用いる充填材１６０については、以下において説明をする点を除き、図１又は図２を用いて説明をした充填材１２０と同一又は同様の特徴を有してよい。
【００５０】
本変形例においては、収容容器１００内に充填する充填材１６０として、粉体や粒体ではなく、梱包の動作の中で液体の状態から固体の状態に相変化する物質を用いる。この場合、液体の状態とは、例えば、収容容器１００内へ注ぎ込むことが可能な流動性の状態のことである。そして、この場合、充填材１６０は、収容容器１００への充填を行う時点では液体の状態になっている。より具体的に、本変形例においては、例えば図３（ａ）に示すように、収容容器１００及び充填材１６０を用いて、造形物５０の梱包を行う。また、この場合、例えば図３（ｂ）に示すように、液体の状態の充填材１６０を収容容器１００内に充填することで、造形物５０の周囲が充填材１６０に囲まれるように、収容容器１００内に造形物５０及び充填材１６０を収容する。また、この場合、造形物５０及び充填材１６０を収容容器１００内に収容した後には、例えば充填材１６０の温度を下げることにより、充填材１６０を固体の状態に相変化させる。このようにした場合も、隙間のない固体の状態で収容容器１００内を充填して、造形物５０の周囲を囲むことにより、造形物５０や充填材１６０が収容容器１００内で動くことを適切に防ぐことができる。また、これにより、造形物５０の破損を適切に防ぐことができる。
【００５１】
ここで、このような充填材１６０としては、例えば、造形物５０に影響を与えない範囲の温度で液体の状態になり、造形物５０の輸送時の温度において固体の状態を保つ物質を用いることが好ましい。この場合、造形物５０に影響を与えない範囲の温度とは、例えば、造形物５０に軟化や変質等が生じない温度のことである。また、造形物５０の輸送時の温度とは、例えば輸送時に造形物５０を保管する環境の温度のことである。この場合、輸送用の車両の車内温度等を考慮すると、輸送時の温度について、例えば、最大で５０℃程度と考えることができる。また、より安定した環境での輸送を行う場合、輸送時の温度について、例えば３０℃程度と考えることもできる。また、例えば所定の低い温度に保った状態で造形物５０の輸送を行う場合には、その温度を輸送時の温度と考えることができる。また、より具体的に、このような充填材１６０としては、例えば油脂等を好適に用いることができる。この場合、収容容器１００への充填材１６０の充填時において、例えば、充填材１６０として用いる油脂の温度を液体になる温度にして、収容容器１００への充填を行う。また、その後に、油脂の温度を固体になる温度に低下させることにより、油脂を固体の状態に相変化させる。また、このような油脂としては、例えばラード、マーガリン等の食用の油脂や、各種の工業用の油脂等を用いることが考えられる。
【００５２】
続いて、本願の発明者が行った実験（輸送試験）について、説明をする。図４は、本願の発明者が行った実験について説明をする図である。図４（ａ）は、粉体の充填材１２０を用いて梱包を行う梱包形態で行った輸送試験について説明をする図である。尚、図１〜３を用いて行った上記の説明では、図示及び説明の便宜上、梱包方法について、一部を簡略化して説明をしている。また、以下において説明をする具体的な梱包方法では、実験の都合上、上記において説明をした方法と一部を異ならせている。しかし、以下の説明から明らかなように、造形物５０の破損を防ぐことに関する基本的な特徴は、上記において説明をした方法と同一又は同様である。
【００５３】
また、より具体的に、この実験においては、例えば図２（ｂ）を用いて説明をした場合と同様にして、ポリエチレン製の袋２００を用い、造形物５０が充填材１２０の中に完全に埋没するように袋２００の中に充填材１２０及び造形物５０を入れた。また、袋２００の開口部の隙間から充填材１２０等が外部へ漏れることを防ぐために、テープで袋２００の開口部を閉じている。また、この実験において、充填材１２０としては、粉状物質の一例である片栗粉を用いた。片栗粉を使用した理由は、人体に対して有害ではなく、かつ、使用後の処分が容易であるためである。
【００５４】
また、緩衝材としては、図中に示すように、複数の緩衝材１４０ａ、ｂを用いた。これらのうち、緩衝材１４０ａは、袋２００の中の緩衝材１４０に対して均一に圧力を加えるための緩衝材であり、図中に示すように、袋２００の上側に設置される。緩衝材１４０ａとしては、ポリエチレン製気泡緩衝材を用いた。また、緩衝材１４０ｂは、収容容器１００内に設置することで充填材１２０の使用量を低減するために用いる緩衝材である。緩衝材１４０ｂとしては、ポリウレタン製発泡緩衝材を用いた。また、緩衝材１４０ｂについては、図中に示すように、収容容器１００内において、袋２００の下側に設置した。また、収容容器１００としては、一般的なダンボール箱を使用した。
【００５５】
尚、上記において説明をしたように、収容容器１００としては、一定形状の容器を用いることが好ましい。そのため、収容容器１００としては、プラスチック、ガラス、金属、木材等のより固い材料で形成された容器を用いることがより好ましい。しかし、輸送時に一定形状を適切に保てるのであれば、上記のように、ダンボール箱等であっても、収容容器１００として使用可能である。
【００５６】
また、図４（ａ）に示すように梱包を行った場合も、収容容器１００の蓋を閉じることで、緩衝材１４０ａにより袋２００内の充填材１２０を押しつけることになる。そして、この場合、緩衝材１４０ａが充填材１２０を押さえつける作用に対する反作用の力が働くことで、造形物５０の周囲の充填材１２０が全方位から造形物５０を押さえる力が発生する。また、その結果、収容容器１００内での充填材１２０の動きがなくなり、更にその結果として、造形物５０の動きも生じない状態になる。また、これにより、上記においても説明をしたように、造形物５０の輸送時において、造形物５０の破損が生じ難い状態を適切に実現できる。また、本願の発明者は、実際に、指の部分や髪の毛の形状等が微細な構造になっているフィギュアの造形物５０を用い、図４（ａ）に示す状態での梱包を行って、複数回の輸送を行う実験を行った。そして、造形物５０を破損させずに適切に輸送を行い得ることを確認した。
【００５７】
また、本願の発明者は、図４（ａ）に示す状態での梱包の効果についてより適切に確認をするために、他の状態での梱包で輸送をする比較実験を更に行った。図４（ｂ）は、この比較実験について説明をする図である。この比較実験においては、図４（ａ）に示した場合において充填材１２０が充填されている部分について、ポリエチレン製気泡緩衝材である緩衝材１４０ｃを用い、緩衝材１４０ｃで造形物５０を包むようにして、造形物５０の保護を行った。また、その上にポリエチレン製気泡緩衝材である緩衝材１４０ａを設置することで、造形物５０や緩衝材１４０ｃが動かないように固定を行った。
【００５８】
この場合も、造形物５０については、空気と共にポリエチレン製気泡緩衝材（緩衝材１４０ｃ）によって包まれることになる。また、これにより、収容容器１００内で造形物５０が動かないように押さえる力や、緩衝材１４０ｃのクッション効果を得ることができる。しかし、この場合、このような力の反作用は、造形物５０自身によって発生することになる。そして、この場合、例えば造形物５０の輸送時の衝撃等で造形物５０を移動させようとする力が加わると、造形物５０に対し、特定の箇所に集中して力が加わる場合がある。また、その結果、微細な構造部分等が破損しやすくなると考えられる。また、実際に、本願の発明者は、図４（ｂ）に示す状態での梱包を行って、複数回の輸送を行う実験を行った。そして、図４（ａ）に示す状態での梱包を行う場合と比べ、造形物５０の破損が発生しやすいことを確認した。また、これにより、図４（ａ）に示す状態で梱包をすることについて、造形物５０の破損を防ぐ効果があることが確認できた。
【００５９】
また、本願の発明者は、片栗粉以外の様々な充填材１２０を用いる場合について、更に実験を行った。図５は、様々な充填材１２０を用いて行った実験の結果を示す。この実験では、図中に番号１〜５を付して示すように、様々な充填材１２０を用いて、輸送試験及び保存試験を行った。この輸送試験では、使用する充填材１２０以外は図４を用いて説明をした場合と同一又は同様にして梱包を行い、２００ｋｍの車輸送を行った。また、保存試験では、６０℃の環境で、１ヶ月間の保存を行った。また、梱包の対象物としては、人形（フィギュア）の形状の造形物５０を用いた。また、充填材１２０を用いて梱包を行う場合と比較するための参考例として、番号６を付して示すように、フィルムパックを用いて梱包を行い、輸送試験及び保存試験を行った。
【００６０】
また、より具体的に、図中において、番号１を付して示す充填材１２０は、中空樹脂である。また、中空樹脂としては、直径が４．５ｍｍ、長さが６ｍｍ、パイプを構成する樹脂の厚みが０．１ｍｍのパイプ状の樹脂を用いた。この場合、充填材１２０の比重は、０．０５程度の極めて小さな値になる。この比重は、例えば、小さなダンボール箱１個に充填した場合の重さが、１ｋｇ程度になる程度の比重である。そのため、このような充填材１２０を用いる場合、充填材１２０を充填することによる重量の増大を適切に抑えることができる。また、この場合、梱包の対象物である造形物５０に充填材１２０が付着することはなく、操作性は良好であった。また、輸送試験の結果は良好であり、保存試験の結果は極めて良好であった。また、保存試験で長期間保存した場合も、パイプの変形等は生じなかった。更に、この場合、充填材１２０の再利用も可能である。以上の結果から、中空樹脂について、充填材１２０として好適に使用し得ることがわかる。
【００６１】
また、番号２を付して示す充填材１２０は、シリカゲルである。シリカゲルとしては、ドライフラワー用の乾燥剤として市販されているシリカゲルを用いた。この場合、比重については、中空樹脂と比べると、大きくなっている。しかし、この場合も、梱包の作業時の操作性は良好であった。また、輸送試験の結果は極めて良好であった。また、保存試験の結果についても、刷毛等を用いて造形物から充填材１２０を落とすことが必要にはなるものの、良好であった。更に、この場合も、充填材１２０の再利用が可能である。以上の結果から、シリカゲルについても、充填材１２０として好適に使用し得ることがわかる。また、シリカゲルの充填材１２０については、上記のように、中空樹脂と比べると比重が大きくなるため、梱包後の重量がある程度大きくなっても許容される場合等に、特に好適に用いることができる。また、シリカゲルは除湿機能を有し、高温高湿下にあっても粒子どうしが粘着しない特性を有しているため、例えば、他の充填材１２０と混合して使用してもよい。この場合、例えば、長期間の輸送で圧力が加わった状態での高温高湿の環境下でも造形物５０の変質を抑え、かつ、充填材１２０が造形物５０の表面に付着するのを抑制することができる。また、この場合、更に、梱包後の重量を抑えることもできる。
【００６２】
また、番号３、４を付して示す充填材１２０は、パーライト及びバーミキュライトである。パーライト及びバーミキュライトとしては、園芸用品として市販されているパーライト及びバーミキュライトを用いた。これらの場合、比重については、中空樹脂と同様に、小さくなる。しかし、これらの場合、粉塵が発生することで作業時にマスクが必要になるため、中空樹脂等と比べると、操作性が低くなる。しかし、この場合も、輸送試験の結果は良好であった。また、保存試験の結果についても、刷毛等を用いて造形物から充填材１２０を落とすことが必要にはなるものの、パーライトについては良好であり、バーミキュライトについても概ね良好であった。この場合、保存試験の結果が概ね良好であるとは、例えば、要求水準が厳しい場合以外には、造形物５０を適切に保存し得ることである。以上の結果から、パーライト及びバーミキュライトについても、充填材１２０として好適に使用し得ることがわかる。また、パーライト及びバーミキュライトの充填材１２０については、上記のように、中空樹脂等と比べると操作性が低くなるため、作業時にマスクを使用することが問題にならない場合等に、特に好適に用いることができる。
【００６３】
また、番号５を付して示す充填材１２０は、川砂である。川砂としては、左官用の砂として市販されている川砂を用いた。この場合、比重については、中空樹脂と比べると、大きくなっている。しかし、この場合も、梱包の作業時の操作性は良好であった。また、輸送試験の結果については、概ね良好であった。この場合、輸送試験の結果が概ね良好であるとは、特に壊れやすい造形物５０を輸送する場合以外には、適切に造形物５０を輸送し得ることである。また、保存試験の結果については、刷毛等を用いて造形物から充填材１２０を落とすことが必要にはなるものの、良好であった。以上の結果から、川砂についても、充填材１２０として好適に使用し得ることがわかる。また、川砂については、上記のように、輸送試験の結果が他の充填材１２０と比べてやや悪くなっている。また、川砂を用いる場合、使用前に乾燥させる工程等が必要になる。一方で、川砂は、他の充填材１２０と比べ、より低価格での入手が可能である。そのため、川砂については、比較的壊れにくい造形物５０等を低コストで梱包する場合等に、特に好適に用いることができる。
【００６４】
また、上記のように、図中において、番号６は、フィルムパックを用いて梱包を行う参考例を示している。また、この参考例では。フィルムパックで造形物５０を包んだ後に、１４×２２×４ｃｍのサイズのウレタンで挟むことで、造形物５０を固定した。この場合、フィルムパックの比重については、十分に小さいと考えることができる。しかし、フィルムパックを用いて梱包を行う場合、作業に要する手間が多くなるため、操作性は、低くなる。また、図中に示すように、この場合、輸送試験では、造形物５０に損壊が生じ、保存試験では造形物５０に変形が生じた。また、より具体的に、この場合、輸送試験では、造形物５０として用いた人形の指の部分に損壊が生じた。また、保存試験では、人形の足に変形が生じた。この参考例との比較により、例えば、上記の様々な充填材１２０を用いる場合について、造形物５０の損壊や変形が生じにくい条件での梱包を適切に実現できていることが理解できる。
【産業上の利用可能性】
【００６５】
本発明は、例えば立体物の梱包方法に好適に用いることができる。
【符号の説明】
【００６６】
５０・・・造形物、１００・・・収容容器、１０２・・・底面、１０４・・・側面、１０６・・・蓋、１２０・・・充填材、１４０・・・緩衝材、１６０・・・充填材、２００・・・袋、３００・・・外装部材、３２０・・・緩衝材
【図１】
2019055819.tif 000003
【図２】
2019055819.tif 000004
【図３】
2019055819.tif 000005
【図４】
2019055819.tif 000006
【図５】
2019055819.tif 000007